(57)【要約】【課題】省スペース化を図るとともにユーザの利便性を考慮した画像読取装置を提供することを目的とする。【解決手段】フィーダ部が上がったかどうかを判断する（ステップＳ１）。フィーダ部が上がったと判断された場合には、次に原稿読取モードを開始する（ステップＳ２）。そして、載置案内画面を原稿載置面に表示する（ステップＳ３）。【選択図】図６
2010141512.tif 000002
【特許請求の範囲】
【請求項１】
原稿が載置される原稿載置面に対応して設けられ、前記原稿載置面に対する情報の表示および載置された原稿の画像読取をともに実行することが可能な情報表示読取部と、
前記情報表示読取部を制御する制御部とを備え、
前記情報表示読取部は、各々が、行列状に配置され、前記原稿載置面の対応する各領域に対して情報の表示および画像読取を実行するための複数の表示読取ユニットを含み、
前記制御部は、前記複数の表示読取ユニットを制御して、前記原稿載置面に対して載置される原稿の天地方向に従って画像読取を実行する際の出力状態を判断できる案内画面を表示する、画像読取装置。
【請求項２】
前記制御部は、前記複数の表示読取ユニットを制御して、前記原稿載置面に対して原稿の一部を載置するエリアを指定する原稿載置エリアを表示する、請求項１記載の画像読取装置。
【請求項３】
前記制御部は、前記複数の表示読取ユニットを制御して、前記原稿載置面に対して画像読取を実行して前記エリアに原稿の一部が載置されていないと判断した場合には、エラー表示する、請求項２記載の画像読取装置。
【請求項４】
前記制御部は、前記原稿の画像読取を実行する場合には、前記複数の表示読取ユニットを制御して、前記原稿載置面に対して表示された案内画面を消去する、請求項１記載の画像読取装置。
【請求項５】
前記制御部は、前記複数の表示読取ユニットを制御して、前記原稿載置面に対して画像読取を実行して、天地方向の読取基準として前記原稿載置面に載置された原稿の四隅の位置を示すオブジェクトを表示する、請求項１記載の画像読取装置。
【請求項６】
前記原稿載置面に対応して設けられたタッチパネルをさらに備え、
前記制御部は、前記タッチパネルにより前記原稿載置面に載置された原稿の四隅の位置を示すオブジェクトの指定があるかどうかを判断して、指定があると判断した場合には、指定されたオブジェクトに従って原稿の天地方向を判断する、請求項１記載の画像読取装置。
【請求項７】
各々が、互いに異なる方向における物体の存在を検知する複数のセンサをさらに備え、
前記制御部は、前記複数のセンサの検知結果に基づいて、前記原稿載置面に対して前記案内画面を表示する向きを変更する、請求項１記載の画像読取装置。
【発明の詳細な説明】
【技術分野】
【０００１】
本発明は、原稿の画像を読取る画像読取装置に関し、表示機能を有する画像読取装置に関する。
【背景技術】
【０００２】
近年、文章等を電子化したり複写したりする手段としてイメージスキャナと呼ばれる画像読取装置が用いられている。イメージスキャナとしては、たとえば、特開昭６１−２４４１６９号公報および特開２００１−１９７２６７号公報に示されているように原稿ガラス等に載せられた原稿をランプ等からの直接光あるいは反射板からの反射光により照射し、原稿から反射した画像情報を有する反射光を複数のミラーを介して光電変換素子の受光面上へ縮小結像させる構成が取られている。このようなイメージスキャナにおいては原稿から光電変換素子までの光路長を長く取る必要があり、装置の小型化が難しいという問題がある。
【０００３】
一方、近年においてはエリアセンサを用いた画像読取装置が提案されている。特開平５−１７３７０９号公報においては、装置の小型化を図ることがが可能な表示機能を有する表示装置と、エリアセンサとを一体としたイメージセンサ付き表示入力一体型装置が示されている。
【特許文献１】特開昭６１−２４４１６９号公報
【特許文献２】特開２００１−１９７２６７号公報
【特許文献３】特開平５−１７３７０９号公報
【発明の開示】
【発明が解決しようとする課題】
【０００４】
一方で、従来の画像読取装置においては、原稿の画像読取を実行する際に原稿載置面の端部からの読取を実行するため端部に設けられた読取基準位置に原稿を載置することが求められるが、エリアセンサの場合、端部からの読取ではなく原稿載置面全体を読取る方式である。
【０００５】
したがって、自由に原稿載置面に載置することが可能であるため通常、原稿を載置するための読取基準位置は設けられておらず、使用するユーザはどのように原稿を原稿載置面に載置すれば所望の画像読取が実行されるかを瞬時に判断することができない。そのため、ユーザの利便性に欠けるという問題があった。上記の特開平５−１７３７０９号公報においては、単に表示装置とエリアセンサとが一体となった構成が示されているのみでありこの点については何ら記載されていない。
【０００６】
本発明は、上記のような問題を解決するためになされたものであって、省スペース化を図るとともにユーザの利便性を考慮した画像読取装置を提供することを目的とする。
【課題を解決するための手段】
【０００７】
本発明に係る画像読取装置は、原稿が載置される原稿載置面に対応して設けられ、原稿載置面に対する情報の表示および載置された原稿の画像読取をともに実行することが可能な情報表示読取部と、情報表示読取部を制御する制御部とを備える。情報表示読取部は、各々が、行列状に配置され、原稿載置面の対応する各領域に対して情報の表示および画像読取を実行するための複数の表示読取ユニットを含む。制御部は、複数の表示読取ユニットを制御して、原稿載置面に対して載置される原稿の天地方向に従って画像読取を実行する際の出力状態を判断できる案内画面を表示する。
【０００８】
好ましくは、制御部は、複数の表示読取ユニットを制御して、原稿載置面に対して原稿の一部を載置するエリアを指定する原稿載置エリアを表示する。
【０００９】
特に、制御部は、複数の表示読取ユニットを制御して、原稿載置面に対して画像読取を実行してエリアに原稿の一部が載置されていないと判断した場合には、エラー表示する。
【００１０】
好ましくは、制御部は、原稿の画像読取を実行する場合には、複数の表示読取ユニットを制御して、原稿載置面に対して表示された案内画面を消去する。
【００１１】
好ましくは、制御部は、複数の表示読取ユニットを制御して、原稿載置面に対して画像読取を実行して、天地方向の読取基準として原稿載置面に載置された原稿の四隅の位置を示すオブジェクトを表示する。
【００１２】
好ましくは、原稿載置面に対応して設けられたタッチパネルをさらに備える。制御部は、タッチパネルにより原稿載置面に載置された原稿の四隅の位置を示すオブジェクトの指定があるかどうかを判断して、指定があると判断した場合には、指定されたオブジェクトに従って原稿の天地方向を判断する。
【００１３】
好ましくは、各々が、互いに異なる方向における物体の存在を検知する複数のセンサをさらに備える。制御部は、複数のセンサの検知結果に基づいて、原稿載置面に対して案内画面を表示する向きを変更する。
【発明の効果】
【００１４】
本発明に係る画像読取装置は、原稿載置面に対する情報の表示および載置された原稿の画像読取をともに実行することが可能な情報表示読取部と、情報表示読取部を制御する制御部とを設け、原稿載置面に対して載置される原稿の天地方向に従って画像読取を実行する際の出力状態を判断できる案内画面を表示する。これにより、ユーザは、原稿を原稿載置面に載置する場合に、どのように原稿を載置すれば画像読取を実行する際に自己の所望する出力状態となるかを瞬時に判断することが可能であり、ユーザが希望する所望の画像読取が実行されるか否かの判断が容易であり、ユーザの利便性が向上する。
【発明を実施するための最良の形態】
【００１５】
以下、図面を参照しつつ本発明の実施の形態について説明する。以下の説明において同一の部品および構成要素には同一の符号を付してある。それらの名称および機能も同一であるものとする。
【００１６】
（実施の形態１）
図１は、本発明の実施の形態１に従うＭＦＰ（Multi Function Peripheral）１００の構成を説明する図である。
【００１７】
図１を参照して、本発明の実施の形態１に従うＭＦＰ１００は、コピー機能、スキャナ機能、プリンタ機能等を有するデジタル複合機である。
【００１８】
本発明の実施の形態１に従うＭＦＰ１００は、操作パネル１０を備えており、この操作パネル１０は、複数のキー１１ａ、当該キー１１ａに対するユーザの操作による各種の指示や、文字、数字などのデータの入力を受付ける操作入力部１１と、ユーザに対する指示メニューや取得した画像に関する情報などを表示を行なう液晶等からなる操作ディスプレイ１２とを有している。
【００１９】
また、ＭＦＰ１００は、後述するが原稿を光学的に読取って画像データを得るとともに原稿載置面に対して情報の表示が可能な情報表示読取部１３と、取得した画像データに基づいて記録シート上に画像を印刷するプリンタ部１４とを備える。
【００２０】
ＭＦＰ１００の本体上面には原稿を情報表示読取部１３に送るフィーダ部１７が、下部にはプリンタ部１４に記録シートを供給する給紙部１８が、中央部にはプリンタ部１４によって画像を印刷された記録シートが排出されるトレー１９がそれぞれ配備されている。
【００２１】
さらに、ＭＦＰ１００の本体内部には、本体を制御するための各部で用いられる制御プログラム、画像データと必要なデータを記憶する記憶部２６などが設けられている。
【００２２】
図２は、本発明の実施の形態１に従うＭＦＰ１００の機能ブロック図である。
図２を参照して、本発明の実施の形態１に従うＭＦＰ１００は、原稿等、紙媒体等の資料を画像データ（電子データ）に変換するための画像読取部３０と、制御プログラム等が格納されたＲＯＭ（Read Only Memory）、制御部２０等で実行される制御処理を実行するためのワークエリア等として用いられるＲＡＭ（Random Access Memory）、およびＭＦＰ１００に登録された各種情報等を格納するＨＤＤ（Hard Disk Drive）等で構成される記憶部２６と、印刷処理を実行するための印刷部３５と、入力等の操作指示を実行する操作部４０と、情報を表示する表示部４５と、ＭＦＰ１００全体を制御する制御部２０とを備える。制御部２０は、例えばＣＰＵ（Central Processing Unit）等で構成されるものとする。
【００２３】
なお、各部は内部バス２２を介して制御部２０と接続されており、制御部２０は、各部との間でデータの授受を実行することが可能である。
【００２４】
画像読取部３０は、原稿載置面に対して行列状に配列された複数の光電変換素子（受光素子）で構成される光センサパネル部５０と、光センサパネル部５０を駆動するための光センサ駆動制御部３２とを含む。
【００２５】
また、操作部４０は、上記で説明した操作パネル１０と、原稿載置面に設けられたタッチパネル８０とを含む。タッチパネルは、複数の領域に分割され、複数の領域にそれぞれ対応して設けられた複数のタッチパネルユニットにより構成されているものとする。なお、後述するが、本例においては一例としてタッチパネルユニットと表示読取ユニットとはそれぞれ１対１に対応付けられているものとする。
【００２６】
また、表示部４５は、原稿載置面に対して行列状に配列された複数の液晶素子で構成される液晶パネル部６０と、液晶パネル部６０を駆動するための液晶駆動制御部４７とを含む。
【００２７】
なお、情報表示読取部１３は、画像読取部３０と表示部４５とで構成されるものとする。
【００２８】
図３は、本発明の実施の形態１に従う情報表示読取部１３の構成を説明する図である。
図３（ａ）を参照して、ここではフィーダ部１７を取り除いたＭＦＰ１００の原稿載置面を上から見た場合の構成が示されている。具体的には、外枠１で囲まれた領域内に原稿載置面２が設けられているものとする。また、原稿載置面２に対応して行列状に配置された複数の表示読取ユニット３が設けられた構成が示されている。
【００２９】
図３（ｂ）を参照して、ここでは原稿載置面を横から見た図である。
図３（ｂ）を参照して、ここでは、一例として、表示読取ユニット３の上にタッチパネル８０を構成するタッチパネルユニット６が設けられた構成が示されている。なお、タッチパネルユニット６は透明電極で構成され、下部に設けられた表示読取ユニット３が駆動されることにより透明電極で構成されたタッチパネルユニット６を介して上面の原稿載置面２に対して情報が表示されるものとする。あるいは、上面の原稿載置面２に載置された原稿について、透明電極で構成されたタッチパネルユニット６を介して下部に設けられた表示読取ユニット３は画像読取を実行して画像データを取得するものとする。
【００３０】
なお、本例においては、原稿載置面をタッチパネルユニット６の上面部分とする場合について説明するが、タッチパネルユニットの上面部分に保護フィルム等を設けたりすることは当然に可能であり、特にこの構成に限られない。
【００３１】
また、本例においては、一例として、原稿載置面と、タッチパネルの領域と、複数の表示読取ユニット３の領域とがそれぞれ同一の面積として対応付けられている場合について説明するが、特にこれに限られず、それぞれが異なる面積とすることも可能であり、特にこの構成に限られない。
【００３２】
図４は、本発明の実施の形態１に従う表示読取ユニット３の構成を説明する図である。
図４を参照して、本発明の実施の形態１に従う表示読取ユニット３は、光センサユニット４と、液晶ユニット５とで構成される。
【００３３】
光センサユニット４は、Ｒ，Ｇ，Ｂ信号をそれぞれ受光することが可能な光電変換素子４ｒ，４ｇ，４ｂとで構成される。当該光センサユニット４が行列状に配置されることにより光センサパネル部５０を構成する。当該光センサパネル部５０は、光センサ駆動制御部３２により駆動制御されるものとする。そして、光センサユニット４は、Ｒ，Ｇ，Ｂ信号を受光可能であるためカラーセンサを構成する。
【００３４】
また、液晶ユニット５は、Ｒ，Ｇ，Ｂ信号を発光可能な液晶素子５ｒ，５ｇ，５ｂとで構成される。当該液晶ユニット５が行列状に配置されることにより液晶パネル部６０を構成する。当該液晶パネル部６０は、液晶駆動制御部４７により駆動制御されるものとする。そして、液晶ユニット５は、Ｒ，Ｇ，Ｂ信号を発光可能であるため原稿載置面にカラー表示することが可能である。なお、本例においては、液晶素子を用いる場合について説明するが、有機ＥＬ（Electro-Luminescence）を用いたりあるいは他の発光素子を用いることも可能である。
【００３５】
したがって、液晶ユニット５を用いることにより、表示読取ユニット３が配置された領域に対応する原稿載置面において任意の情報を表示することが可能であるとともに、光センサユニット４を用いることにより、表示読取ユニット３が配置された領域に対する原稿載置面において、載置された原稿のカラー画像データを取得することが可能である。
【００３６】
図５は、本発明の実施の形態１に従うＭＦＰ１００における操作パネル１０の構成を説明する図である。
【００３７】
図５を参照して、スタートキー２０１は、コピー／スキャン等の動作を開始させるために用いられる。テンキー２０２はコピー枚数等の数値等あるいはパスワード等を入力するために用いられる。クリアキー２０３は、入力された数値のクリア、および蓄積された画像記憶の画像データを破棄するために用いられる。
【００３８】
ストップキー２０４は、コピー／スキャン動作の停止を指示するために用いられる。パネルリセットキー２０５は、設定されているモードおよびジョブを破棄するために用いられる。
【００３９】
また、操作ディスプレイ１２は、各種モードの表示や設定等を実行するためにタッチパネル２０６が取付けられている。
【００４０】
このタッチパネル２０６によって、ユーザは操作ディスプレイ１２内の表示内容に従った各種設定を行なうことができる。また、タッチパネル２０６における設定画面領域２０７には、通常はコピー動作やスキャン動作を実行する際に行なう基本的／応用的な設定のためのボタンが配置されている。各ボタンを押下するとその詳細設定を行なうための階層画面が表示される。
【００４１】
タッチパネル２０６のジョブ情報画面領域２０８にはその時点でＭＦＰ１００に投入されているジョブ情報が表示される。表示は実行されるべきジョブの順序で並んでいる。特定のジョブに対して消去変更等の操作を行なう場合は、ジョブ操作ボタン２０９を選択した後、操作対象となるジョブ番号ボタンを押下する。それらの操作によってジョブ操作画面が表示され、特定のジョブに対する操作が可能となる。また、ジョブ履歴確認ボタン２１０を押下することにより、実行されたジョブの履歴を確認することが可能となる。
【００４２】
コピー（Copy）キー２１０、およびスキャン（Scan）キー２１１は、ＭＦＰ１００をコピー／スキャナのいずれのモードで動作させるかを設定するための選択キーである。
【００４３】
コピーキー２１０を押下した場合、ＭＦＰ１００はコピー機として使用可能となる。この状態ではスキャナ動作は実行することはできない。
【００４４】
また、スキャンキー２１１を押下した場合、ＭＦＰ１００はスキャナとなる。この状態ではコピー動作を実行することはできない。
【００４５】
なお、コピーキー２１０とスキャンキー２１１は排他的動作となり、一方を選択すると自動的に他方は非選択状態となる。
【００４６】
なお、操作パネル１０に対する操作は常時可能であり、本例においては、一例として、コピーキー２１０が初期設定として選択されている場合の処理について説明する。
【００４７】
図６は、本発明の実施の形態１に従う原稿読取を実行する処理の流れを説明するフロー図である。
【００４８】
図６を参照して、まずフィーダ部１７が上がったかどうかを判断する（ステップＳ１）。具体的には、一例として図示しないがフィーダ部１７が持ち上げられて、原稿を原稿載置面に例えば手で載置可能となる状態となったことを検知するセンサが設けられているものとする。そして、当該センサにより、フィーダ部１７が上がったと検知されたかどうかを判断する。センサとしては、フィーダ部１７が持ち上げられた場合のフィーダ部と原稿載置面との角度を検出することが可能である。なお、フィーダ部１７が上がったことが検知されれば良く、特にその検知の方式等については限定されない。
【００４９】
次に、フィーダ部１７が上がったと判断された場合には、次に原稿読取モードを開始する（ステップＳ２）。具体的には、制御部２０は、センサからの検知結果に基づいてフィーダ部１７が上がったと判断した場合に原稿読取モードを開始する。
【００５０】
そして、載置案内画面を原稿載置面に表示する（ステップＳ３）。具体的には、制御部２０は、表示部４５の液晶駆動制御部４７に対して液晶パネル部６０に載置案内画面を表示するデータを出力する。なお、載置案内画面を表示するデータは、一例として記憶部２６のＲＯＭ等に格納されているものとする。
【００５１】
図７は、本発明の実施の形態１に従う載置案内画面を説明する図である。
図７を参照して、ここでは、外枠１に囲まれる原稿載置面２の領域内において、載置案内画面が表示されている場合が示されている。
【００５２】
具体的には、原稿載置面２に対して載置される原稿の天地方向に従って画像読取を実行する際の出力状態を判断できる案内画面７と、原稿載置面２に対して原稿の一部を載置するエリアを指定する原稿載置エリア８とが表示されている。
【００５３】
案内画面７には、「このように出力されます」の表示とともに、「Ｆ」の文字が描かれた原稿について、縦方向と、横方向に載置した場合について、それぞれ文字が描かれた面（点線で標記している）を原稿載置面２に載置した場合の出力状態が示されている。
【００５４】
当該案内画面７を原稿載置面２に対して表示することにより、ユーザは、原稿を載置する場合に、どのように原稿を載置すれば画像読取を実行する際に自己の所望する出力状態となるかを瞬時に判断することが可能であり、ユーザが希望する所望の画像読取が実行されるか否かの判断が容易であり、ユーザの利便性が向上する。
【００５５】
また、本例においては、載置案内画面として、原稿載置エリア８が表示されている。
原稿載置エリア８には、「このエリア内に原稿の一部を入れて下さい」の表示がなされている。したがって、ユーザは、原稿を載置する場合に、どこに原稿を載置すれば良いか瞬時に判断することが可能であり、当該エリアに原稿の一部が入れられるようにユーザは促されるためユーザの操作性が向上する。また、エリアに色をつけることにより注意を喚起してユーザの操作性を向上させることも可能である。なお、ここでは、エリア内に文字を表示する場合について説明しているが、特にこれに限られず、単に枠線を表示することも可能である。
【００５６】
また、当該原稿載置面２の特定の場所に載置案内画面を表示する必要は無く、任意の位置に表示することが可能である。
【００５７】
再び、図６を参照して、次に、原稿載置面に原稿があるかどうかを判断する（ステップＳ４）。具体的には、制御部２０は、画像読取部３０の光センサ駆動制御部３２に対して光センサパネル部５０により画像データを取得するように指示する。
【００５８】
そして、制御部２０は、光センサパネル部５０により原稿載置面全体の画像データを取得して、原稿載置面に表示された載置案内画面と比較して別の画像データが存在するか否かを判断する。一方、ステップＳ４において、原稿が無いと判断される場合には、当該処理を繰り返す。
【００５９】
制御部２０は、別の画像データが存在する、すなわち載置案内画面とは別の所定の面積以上の物体が原稿載置面に配置されたと判断した場合には、原稿載置面に原稿があると判断して、次に、所定エリア内に原稿の一部が有るかどうかを判断する（ステップＳ５）。
【００６０】
具体的には、制御部２０は、取得した画像データに基づいて、原稿の例えば角部が所定エリアである原稿載置エリア８内に入れられているかどうかを判断する。なお、ステップＳ４における、原稿載置面全体の画像データを取得して、載置案内画面と比較して別の画像データが存在するか否かの判断処理および例えば原稿の角部が所定エリア内に含まれているか否かの判断処理等の画像処理については、当該機能を実現する画像処理プログラムが予め記憶部２６のＲＯＭに格納されており、制御部２０において、当該画像処理プログラムが起動されることにより実行されるものとする。以下の画像処理についても同様であるものとする。
【００６１】
そして、ステップＳ５において、所定エリア内に原稿の一部（原稿の例えば角部）があると判断された場合には、次のステップＳ７に進み、読取基準判定処理を実行する（ステップＳ７）。
【００６２】
図８は、本発明の実施の形態１に従う読取基準判定処理を説明するフロー図である。
図８を参照して、まず原稿の四隅を判別する（ステップＳ２１）。
【００６３】
具体的には、制御部２０は、原稿載置面全体の画像データから取得した載置案内画面とは別の画像データに基づいて、色判別を行ない濃度差等に基づいて別の画像データの領域を抽出し原稿の四隅を判別するものとする。
【００６４】
そして、次に読取基準を表示する（ステップＳ２２）。具体的には、制御部２０は、表示部４５の液晶駆動制御部４７に対して液晶パネル部６０により、領域を抽出した原稿の四隅にそれぞれ対応して選択可能なオブジェクト９＃を表示するように指示する。
【００６５】
そして、次に、読取基準の案内画面を表示する（ステップＳ２３）。
具体的には、制御部２０は、表示部４５の液晶駆動制御部４７に対して液晶パネル部６０により、読取基準の案内画面を表示するように指示する。
【００６６】
図９は、本発明の実施の形態１に従う読取基準と、読取基準の案内画面を原稿載置面に表示した場合を説明する図である。
【００６７】
図９を参照して、ここでは、読取基準９＃がそれぞれ選択可能なオブジェクトとして、領域を抽出した原稿９の四隅にそれぞれ対応して表示されている場合が示されている。読取基準９＃については、タッチパネルを用いて選択することが可能であるものとする。ここでは、原稿載置エリア８が表示されていないが、原稿載置エリアも表示するようにすることも可能である。
【００６８】
また、ここでは、案内画面７とは別の読取基準の案内画面７＃が表示されており、読取基準９＃を指定した場合における画像読取を実行した際の出力状態が示されている。
【００６９】
したがって、当該案内画面７＃により、読取基準９＃が表示されているため原稿の向きに係わらず天地方向をユーザが指定することが可能であることが瞬時に判断することができ、また、指定した際の出力状態も瞬時に判断することが可能であり、ユーザの利便性が向上する。
【００７０】
本例においては、一例として、縦方向について、原稿の天地判定を実行する方式であるため本例においては、原稿９の四隅にそれぞれ対応して読取基準のオブジェクトが表示される場合について説明したが、片側の原稿の角についてのみ読取基準のオブジェクトのみを表示するようにすることも可能である。
【００７１】
そして、再び、図８を参照して、読取基準の指定が有ったかどうかを判断する（ステップＳ２４）。具体的には、タッチパネル８０により、表示された読取基準９＃のいずれかが指定されたかどうかを判断する。
【００７２】
そして、読取基準の指定あると判断した場合には、次のステップＳ２５に進む。
一方、指定がないと判断した場合には、再びステップＳ２１に戻る。
【００７３】
ステップＳ２５において、読取基準の指定があると判断した場合には、指定された読取基準に基づいて原稿の天地判定を実行する。具体的には、制御部２０は、タッチパネル８０により、表示された読取基準９＃の指定が有ったかどうかを判断して、有った場合には、指定された読取基準位置に従って天地判定を実行する。天地判定は、一例として、指定された読取基準位置に対して、縦方向に沿って天地判定を実行するものとする。具体的には、原稿９の右上側の角部について、読取基準９＃を指定した場合には、右上側の角部が天となり、右下側の角部が地となる天地方向とする。また、一方、原稿９の右下側の角部について、読取基準９＃を指定した場合には、右下側の角部が天となり、右上側の角部が地となる天地方向となる。原稿９の左側の角部についても同様である。
【００７４】
再び、図６を参照して、ステップＳ５において、所定エリア内に原稿の一部がないと判断された場合にはエラー表示する（ステップＳ６）。具体的には、制御部２０は、表示部４５の液晶駆動制御部４７に対して液晶パネル部６０にエラー表示画面を表示するデータを出力する。
【００７５】
図１０は、本発明の実施の形態１に従うエラー表示を説明する図である。
図１０を参照して、ステップＳ５において、原稿載置エリア８に原稿の一部が無いと判断された場合において、「所定エリアにセットしてください」の表示とともに、矢印表示により、原稿の一部を所定エリア６内に入れるように促される場合が示されている。
【００７６】
当該表示により、ユーザは、原稿の一部が原稿載置エリア８に入っていないことを容易に理解することができ、原稿の一部を所定エリア６内に入れるように促されるためユーザの操作性が向上する。
【００７７】
再び、図６を参照して、次にスタートキーの押下があるかどうかを判断する（ステップＳ９）。
【００７８】
具体的には、操作パネル１０によるスタートキーの押下があった場合には次のステップに進み、なければ最初のステップＳ４に戻る。
【００７９】
ステップＳ９において、スタートキーの押下があった場合には載置案内画面の消去を実行する（ステップＳ１０）。
【００８０】
具体的には、制御部２０は、操作パネル１０によるスタートキーの押下を検知した場合には、表示部４５の液晶駆動制御部４７に対して液晶パネル部６０により表示された載置案内画面の消去を指示する。
【００８１】
そして、原稿読取を実行する（ステップＳ１１）。
具体的には、制御部２０は、光センサパネル部５０により原稿載置面全体の画像データを取得して、原稿載置面に載置された原稿の原稿画像データを抽出する。例えば、制御部２０は、色判別を行ない濃度差等に基づいて原稿画像データのみを抽出する。当該原稿画像データの抽出処理等の画像処理については、当該機能を実現する画像処理プログラムが予め記憶部２６のＲＯＭに格納されており、制御部２０において、当該画像処理プログラムが起動されることにより実行されるものとする。
【００８２】
そして、次に、データを出力する（ステップＳ１２）。本例においては、図５で説明したようにコピーキー２１０が初期設定として選択されており、機能としては、コピー機能が設定されているため、抽出した原稿画像データは、上記で説明した指定された読取基準に基づいて原稿の天地判定処理を実行した上で印刷部３５に出力される。
【００８３】
そして、印刷部３５において、原稿画像データは紙媒体等に印刷処理され出力される。
そして、処理を終了する（エンド）。
【００８４】
当該処理により、ユーザは、原稿を載置して画像読取を実行する際に自己が指定した読取基準に従って天地判定処理が実行されて、自己の所望する出力状態とすることが可能であるためユーザの利便性が向上する。
【００８５】
例えば、天地が反対となった状態で原稿を載置した場合であっても、読取基準を指定することにより、原稿を再度、天地を入れ替えて載置させる必要は無く、ユーザの利便性が向上する。
【００８６】
また、本実施の形態１に従う方式は、光センサパネル部５０を用いたエリアセンサにより原稿読取が可能であるため装置の省スペース化を図ることが可能である。また、従来の画像読取装置においては、原稿を画像読取を実行する際に原稿載置面の端部からの読取を実行するため端部に設けられた読取基準位置に原稿を正確に載置することが求められるが、エリアセンサであるため載置する位置が大幅に広がった上、原稿の原稿載置面に対する傾き等を気にしなくても良くユーザの利便性が向上する。
【００８７】
なお、本例においては、コピー機能が設定されている場合について説明したが、スキャン機能が設定されている場合についても同様である。
【００８８】
（実施の形態２）
図１１は、本発明の実施の形態２に従うＭＦＰ１１０の構成を説明する図である。
【００８９】
図１１を参照して、本発明の実施の形態２に従うＭＦＰ１１０は、実施の形態１に従うＭＦＰ１００と比較して、複数の方向から操作可能なコピー機能、スキャナ機能、プリンタ機能等を有するデジタル複合機である点で異なる。
【００９０】
具体的には、本発明の実施の形態２に従うＭＦＰ１１０は、操作パネル１０ａ，１０ｂを備えている。操作パネル１０ａ，１０ｂは、実施の形態１で説明した操作パネル１０と同様である。
【００９１】
また、フィーダ部１７は一例として、図１１に示すように上方に持ち上がる構成となっているものとする。当該構成により、操作パネル１０ａ，１０ｂのそれぞれの方向から原稿載置面に原稿を載置することが可能である。
【００９２】
その他の点については、図１で説明したのと同様であるのでその詳細な説明は繰り返さない。
【００９３】
図１２は、本発明の実施の形態２に従うＭＦＰ１１０の機能ブロック図である。
図１２を参照して、本発明の実施の形態２に従うＭＦＰ１１０は、実施の形態１に従うＭＦＰ１００と比較して、人感センサ７０，７５をさらに設けた点が異なる。人感センサ７０，７５は、それぞれ操作パネル１０ａ，１０ｂが設けられた方向に対応付けられて配置されているものとする。なお、人感センサとしては、一例として光を照射して反射した反射光を用いた反射型センサを用いることが可能である。なお、当該方式限られず、操作パネル１０ａ，１０ｂにユーザが存在することを確認することができればどのような方式でも良い。
【００９４】
人感センサ７０，７５は、それぞれ操作パネル１０ａ，１０ｂを操作するユーザを検知するために設けられたものである。そして、その検知結果を制御部２０に出力するものとする。制御部２０は、人感センサ７０，７５からの検知結果に基づいて、いずれの方向にユーザが存在するかを判定する。なお、人感センサ７０，７５からともに検知結果の入力がある場合には、先に入力された検知結果を優先させることも可能であるし、あるいは、エラー処理と判定することも可能である。
【００９５】
その他の各機能ブロックについては、図２で説明したのと同様であるのでその詳細な説明は繰り返さない。
【００９６】
図１３は、本発明の実施の形態２に従う原稿読取を実行する処理の流れを説明するフロー図である。
【００９７】
図１３を参照して、図６で説明した原稿読取の処理の流れと比較して、ステップＳ３の代わりにステップＳ２＃，Ｓ３＃が設けられた点が異なる。
【００９８】
ステップＳ２において、フィーダ部１７が上がったと判断された場合には、次に原稿読取モードを開始する。
【００９９】
そして、次に、人感センサ判定処理を実行する（ステップＳ３＃）。
具体的には、人感センサ７０，７５を用いて操作パネル１０ａ，１０ｂのいずれの方向にユーザが存在するか否かを判定する。
【０１００】
そして、次に、人感センサ７０，７５の検知結果に基づいて載置案内画面を原稿載置面に表示する（ステップＳ３＃）。
【０１０１】
具体的には、制御部２０は、表示部４５の液晶駆動制御部４７に対して液晶パネル部６０に載置案内画面を表示するデータを出力する。なお、載置案内画面を表示するデータは、一例として記憶部２６のＲＯＭ等に格納されているものとする。その際、人感センサ７０，７５の検知結果に基づいて、載置案内画面の表示される向きが異なる。
【０１０２】
図１４は、本発明の実施の形態２に従う載置案内画面を説明する図である。
図１４（ａ）を参照して、ここでは、図７で説明した載置案内画面と同様の向きの画面が示されている。
【０１０３】
一方、図１４（ｂ）を参照して、ここでは、図７で説明した載置案内画面と向きが反対となった画面が示されている。
【０１０４】
すなわち、ユーザが存在する位置に応じて載置案内画面の向きが異なる場合が示されている。
【０１０５】
当該方式により、複数の方向からユーザがＭＦＰ１１０にアクセスする場合に、ユーザのアクセスする方向に合わせて載置案内画面を表示するため、当該案内画面７を原稿載置面２に対して表示することにより、ユーザは、原稿を載置する場合に、どのように原稿を載置すれば画像読取を実行する際に自己の所望する出力状態となるかを瞬時に判断することが可能である。すなわち、ユーザは、アクセスする方向により原稿の載置に関して混乱することはなく、ユーザが希望する所望の画像読取が実行されるか否かの判断が容易であり、ユーザの利便性が向上する。
【０１０６】
なお、ＭＦＰ１００，１１０を制御する各部について、コンピュータを機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１０７】
なお、プログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１０８】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１０９】
提供されるプログラム製品は、ハードディスクなどのプログラム格納部にインストールされて実行される。なお、プログラム製品は、プログラム自体と、プログラムが記録された記録媒体とを含む。
【０１１０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１１】
【図１】本発明の実施の形態１に従うＭＦＰ１００の構成を説明する図である。
【図２】本発明の実施の形態１に従うＭＦＰ１００の機能ブロック図である。
【図３】本発明の実施の形態１に従う情報表示読取部１３の構成を説明する図である。
【図４】本発明の実施の形態１に従う表示読取ユニット３の構成を説明する図である。
【図５】本発明の実施の形態１に従うＭＦＰ１００における操作パネル１０の構成を説明する図である。
【図６】本発明の実施の形態１に従う原稿読取を実行する処理の流れを説明するフロー図である。
【図７】本発明の実施の形態１に従う載置案内画面を説明する図である。
【図８】本発明の実施の形態１に従う読取基準判定処理を説明するフロー図である。
【図９】本発明の実施の形態１に従う読取基準と、読取基準の案内画面を原稿載置面に表示した場合を説明する図である。
【図１０】本発明の実施の形態１に従うエラー表示を説明する図である。
【図１１】本発明の実施の形態２に従うＭＦＰ１１０の構成を説明する図である。
【図１２】本発明の実施の形態２に従うＭＦＰ１１０の機能ブロック図である。
【図１３】本発明の実施の形態２に従う原稿読取を実行する処理の流れを説明するフロー図である。
【図１４】本発明の実施の形態２に従う載置案内画面を説明する図である。
【符号の説明】
【０１１２】
１０  操作パネル、２０  制御部、２２  内部バス、２６  記憶部、３０  画像読取部、３２  光センサ駆動制御部、３５  印刷部、４０  操作部、４５  表示部、４７  液晶駆動制御部、５０  光センサパネル部、６０  液晶パネル部、８０  タッチパネル、１００，１１０  ＭＦＰ。
【図１】
2010141512.tif 000003
【図２】
2010141512.tif 000004
【図３】
2010141512.tif 000005
【図４】
2010141512.tif 000006
【図５】
2010141512.tif 000007
【図６】
2010141512.tif 000008
【図７】
2010141512.tif 000009
【図８】
2010141512.tif 000010
【図９】
2010141512.tif 000011
【図１０】
2010141512.tif 000012
【図１１】
2010141512.tif 000013
【図１２】
2010141512.tif 000014
【図１３】
2010141512.tif 000015
【図１４】
2010141512.tif 000016